(57)【要約】【課題】  金属板を折曲げソケット本体より延出した接続部材の導電端子片のばね（弾）性の低下を抑制して、長期に亘り確実な電気的接続および保持固定が行えるソケット装置およびこのソケット装置を装着した照明装置を提供することを目的とする。【解決手段】  電気絶縁性材料で形成した筒状のソケット本体１と、この本体１の一端側に形成したランプ装着孔１２と、上記本体１の周壁１１に形成したフランジ部２と、上記本体１のランプ装着孔１２内に基板部５１が装着され、この基板部５１に連設して折曲げられた導電端子片５２を本体１外に延出するとともにこの導電端子片５２に延在方向に沿ってリブ５０を形成した金属板体からなる接続部材５ａと、上記本体１のランプ装着孔１２内に装着されるとともに上記接続部材５ａ，５ａに保持接続された無口金形ランプ６とを備えたソケット装置Ｓおよびこのソケット装置Ｓを装着した照明（表示）装置７である。【選択図】  図１
2005243511.tif 000002
【特許請求の範囲】
【請求項１】
電気絶縁性材料で形成した筒状のソケット本体と；
このソケット本体の一端側に形成したランプ装着孔と；
上記ソケット本体の周壁に形成したフランジ部と；
上記ソケット本体のランプ装着孔内に基板部が装着され、この基板部に連設して折曲げられた導電端子片を本体外に延出するとともにこの導電端子片に延在方向に沿ってリブを形成した金属板体からなる接続部材と；
上記ソケット本体のランプ装着孔内に装着されるとともに上記接続部材に保持接続された無口金形ランプと；
を具備していることを特徴とするソケット装置。
【請求項２】
上記接続部材の導電端子片は、先端部にこの端子片の延在方向と直交する方向に形成された傾斜面およびこの傾斜面に連設し傾斜面端部より突出した接触部を有していることを特徴とする請求項１に記載のソケット装置。
【請求項３】
上記ソケット本体は、ソケット軸に沿ってランプ装着孔の開口部からフランジ部近傍までを切欠した切欠部が形成され、この切欠部から折曲げられた導電端子片が延出していることを特徴とする請求項１または請求項２に記載のソケット装置。
【請求項４】
上記ソケット本体の周壁には、上記フランジ部と所定の間隙を隔てて係止突起部が形成してあることを特徴とする請求項１ないし請求項３のいずれか一に記載のソケット装置。
【請求項５】
基体と；
この基体に設けられた配線基板と；
この配線基板のソケット取付孔に本体部が挿入装着されるとともにこの基板の配線導体に接続部材の導電端子片を接触した上記請求項１ないし請求項４のいずれか一に記載のソケット装置と；
を具備していることを特徴とする照明装置。
【発明の詳細な説明】
【技術分野】
【０００１】
この発明は電気絶縁性材料で形成したソケット本体に小形の白熱電球などの無口金形ランプを装着したソケット装置およびこのソケット装置を用いた照明装置に関する。
【背景技術】
【０００２】
無口金形電球などの無口金形のランプが装着されるソケット装置は、ランプの保持および電気的な接続が、簡単な構成で、かつ、安価にできるという利点を有することから、ＡＶ機器、自動車の照明用や表示用あるいはプラントの制御表示用などに多用されている。
【０００３】
この無口金形ランプ用のソケット装置は、電気絶縁性の合成樹脂やゴムなどからなる有底筒状のソケット本体の上方側にランプの装着孔が、また、本体の外周壁からほぼ一様に突出したフランジ部が形成され、上記装着孔内に設けられた金属薄板製の接続部材にウエッジベース形ランプなどの封着部が装着されることによりランプの保持と電気的な接続をなすよう構成されている。
【０００４】
このソケット装置の上記接続部材は、ランプ装着孔内に装着された基板部およびこの基板部に連設して、本体の周囲壁をソケット軸に沿って形成した切欠部の中間部またはフランジ部の近傍から外方に延出させたり、あるいはフランジ部の近傍と所定の間隔を隔てて外方に延出させた導電端子片を有したものからなる。
【０００５】
そして、このソケット装置はプリント配線基板に設けられた取付用の孔や切欠部において本体を挿通した後、回動して挟着固定させるとともに、上記導電端子片と配線基板の配線導体とを圧接させることによって導通がはかれ、ランプが点灯するよう構成されている。
【０００６】
この導電端子片と配線基板の配線導体との導通手段としては (1)切欠部の中間部から延出させた導電端子片とフランジ部とで配線基板を挟圧したり、または (2)フランジ部の近傍とこのフランジ部から所定の間隔を隔てた位置とから外方に延出させた二段状に形成した一対の導電端子片で配線基板を挟圧したり（特許文献１）、あるいは (3)フランジ部に配設した導電端子片と、フランジ部に所定の間隔を隔てて本体の外周壁に形成した一対の係止突起部とで配線基板を挟圧したり（特許文献２）など、導電端子片を配線基板の配線導体に圧接させることで電気的接続がなされるとともに保持固定が行われるようにしている。
【０００７】
なお、プリント配線基板に形成した銅箔などの薄膜からなる配線導体は、基板の表面、裏面あるいは両面といろいろあるが接触が必要となるのは最低一面であり、ソケット装置は配線導体に対応した導電端子片を有するものが用いられている。
【特許文献１】実公昭４３−２８５３０号公報
【特許文献２】実公昭５３−５３３４３号公報
【発明の開示】
【発明が解決しようとする課題】
【０００８】
そして、上記のようなソケット装置は、ランプ寿命によるランプ交換や点検などでプリント配線基板からの着脱が繰り返されたり長期間に亘り使用されると、金属薄板製の接続部材の基板部から折曲げ延出している導電端子片のばね（弾）性が劣化して、配線導体との圧接力が弱くなって接続が不安定になり、甚しい場合には通電中にも拘らずランプが点滅するなどの不具合を生じたり取付けが不可能になることがあった。
【０００９】
特に折曲角が９０度を超えている場合は、折曲部に残留歪みが生じ導電端子片の塑性変形量が増してばね性が低下する。
【００１０】
そこで、本発明者等は、上述したような導電端子片の折曲部のばね（弾）性が低下して接続が不安定になることを解消するため種々の検討を重ね、その対応手段を模索した。
【００１１】
本発明は上記の事情に鑑みなされたもので、金属板を折曲げソケット本体より延出した接続部材の導電端子片のばね（弾）性の低下を抑制して、長期に亘り確実な電気的接続および保持固定が行えるソケット装置およびこのソケット装置を装着した照明装置を提供することを目的とする。
【課題を解決するための手段】
【００１２】
本発明の請求項１に記載のソケット装置は、電気絶縁性材料で形成した筒状のソケット本体と、このソケット本体の一端側に形成したランプ装着孔と、上記ソケット本体の周壁に形成したフランジ部と、上記ソケット本体のランプ装着孔内に基板部が装着され、この基板部に連設して折曲げられた導電端子片を本体外に延出するとともにこの導電端子片に延在方向に沿ってリブを形成した金属板体からなる接続部材と、上記ソケット本体のランプ装着孔内に装着されるとともに上記接続部材に保持接続された無口金形ランプとを具備していることを特徴としている。
【００１３】
本発明のソケット装置の接続部材は、その延在方向に沿って特に折曲部を含む要部にリブを形成することによって補強され、平板部における湾曲などの変形の発生はもとより折曲げによりばね（弾）性を付与した部位におけるばね（弾）性の劣化を抑制できる。
【００１４】
したがって、接続部材の不所望な変形などの防止がはかれ、導電端子片の先端部の接触部が配線基板の配線導体に強く圧接して電球などのランプの確実な電気的接続がなされるとともに、フランジ部などと協同してソケット装置の配線基板への挟着保持の一助となすことができる。
【００１５】
接続部材に形成するリブの形態は、盛り上がりやへこみなどの凹状または凸状の筋あるいは肉盛りした筋あるいは本発明では板材を捩じることなどで形成したものも含み、金属板から接続部材をプレスなどで打ち抜く際や成形時に同時に形成をすることができその形成作業に格別の手間を要するものではない。
【００１６】
なお、補強のためのリブの形成は、折曲部や接触部などを含む非平坦面に限らず平坦面に形成しておくことも構わない。
【００１７】
なお、本発明および以下の各発明において、特に指定しない限り用語の定義および技術的意味は次による。
【００１８】
ソケット本体は、６６ナイロン（商品名）などの熱可塑性合成樹脂やゴムなどの電気絶縁性材料で形成された横断面が円筒形状や四角形などの多角形状の有底筒状体からなり、一端側に開口した接続部材およびランプの装着孔を有する。
【００１９】
また、このソケット本体の周壁に形成したフランジ部は、外周全周でなく部分的に欠損していてもよい。
【００２０】
接続部材は、ランプの保持とランプへの給電とを兼ねた高強度ばね用リン青銅やステンレス鋼などの導電性や弾力性を有する板厚さが０．１５〜０．４ｍｍ程度の薄い金属板材を用いて構成することができ、この金属板材の折曲部や板体の加工形状は問はない。
【００２１】
この接続部材の形態は、たとえば上記ランプの封着部の一面側を押圧する略平面形状部を有し、ランプのバルブや封着部を対向した両側から圧接するように配設したので、ランプの保持と給電とを兼ねた一体的なものとし、ランプの保持およびランプのリード線や配線導体と良好な電気的接続がはかれる。
【００２２】
また、他の形態としては略コ字形状部を有し、ランプのバルブや封着部を抱持してその保持と給電とを兼ねた一体的なものとし、ランプの保持およびランプのリード線や配線導体と良好な電気的接続ができる。
【００２３】
また、接続部材が保持するランプ部分は、円筒状のバルブであってもウエッジベース形などの略平坦状の封着部であってもよい。また、切欠部から延出した導電端子片は、配線基板などを挟みフランジ部側でも係止突起部側でもあるいは両者側に位置していてもよく、要するに配線導体などと接触する方向に折曲げ（切り起しを含む。）弾性が付与されていれば導電性の高い電気的接続がなされる。
【００２４】
また、このとき導電端子片の折曲（切り起し）角は、９０度以下の方が折曲部に残留歪みが生じ難く導電端子片のばね性（弾性）を向上できる。
【００２５】
そして、ソケット本体内に装着された接続部材の導電端子片先端の接触部と協同して配線基板を挟圧するフランジ部などとの間隙は、配線基板の厚さより小さくしておくことで、配線基板にソケット装置を強固に挟着させることができる。
【００２６】
さらに、このソケット装置が取着される部材は、プリント配線基板に限らず他の接続導電部材などであっても差支えなく、また、その取着部は取付孔に限らず切欠部などであってもよい。
【００２７】
本発明の請求項２に記載のソケット装置は、上記接続部材の導電端子片が、先端部にこの端子片の延在方向と直交する方向に形成された傾斜面およびこの傾斜面に連設し傾斜面端部より突出した接触部を有していることを特徴としている。
【００２８】
接続部材の導電端子片先端部の金属板を捩り形成して接触部に傾斜面を連設したことにより、装着時、配線基板などの取付孔にソケット装置を挿通して回動させたとき、まず、配線基板との間隙が最も大きい傾斜面が取付孔縁に当接し、回動を進めると傾斜面が取付孔縁を滑らかにすべって最も突出している接触部を円滑に配線基板などの配線導体面上に案内移動できる。
【００２９】
そして、金属板を捩り形成した部分がリブと同様な補強の作用をなし、導電端子片先端の接触部が反発して配線基板に強く圧接し、ソケット装置の強固な挟着および電気的接続をなさしめることができる。
【００３０】
なお、上記接触部に連設する傾斜面は、ソケット装置の回動方向の先行側に形成されればよく、右側か左側あるいは左右両側に形成することができる。
【００３１】
本発明の請求項３に記載のソケット装置は、上記ソケット本体にソケット軸に沿ってランプ装着孔の開口部からフランジ部近傍までを切欠した切欠部が形成され、この切欠部から折曲げられた導電端子片が延出していることを特徴としている。
【００３２】
切欠部から折曲げられた導電端子片を延出することにより、導電端子片が所定位置からずれにくく確実な電気的接続およびソケット装置の保持を行うことができる。
【００３３】
本発明の請求項４に記載のソケット装置は、上記ソケット本体の周壁に、上記フランジ部と所定の間隙を隔てて係止突起部が形成してあることを特徴としている。
【００３４】
フランジ部と所定の間隔を隔て形成した係止突起部は、フランジ部と協同して導電端子片を介在挟圧して後述する配線基板などに取着され、確実な電気的接続およびソケット装置の保持固定を行うことができる。
【００３５】
係止突起部は、ソケット本体の対向した正対位置（１８０度）に一対のものを対称配置したものに限らずソケット本体に形成した切欠部の両側に同一形状や異形状で分割したような状態で設けられたり、あるいは３個以上の複数個が設けられていてもよい。また、係止突起部は、その配設角度を変えたり、その形状（幅など）を異なるものとしたりあるいは配設位置と形状とを変えたものであってもよい。このような構成とすることは、ＬＥＤランプなど極性が特定されるランプを使用する場合に誤って装着されることを防げる。
【００３６】
また、係止突起部のフランジ部と対向する面が、フランジ部と平行であってもよいが凸状部やテーパー状部が形成されていて、係止突起部の一部が配線基板などと当接するものであってもよい。また、フランジ部と係止突起部との間の、上記所定の間隔とはソケット装置が取着される配線基板などの板厚以下の寸法である。
【００３７】
本発明の請求項５に記載の照明装置は、基体と、この基体に設けられた配線基板と、この配線基板のソケット取付孔に本体部が挿入装着されるとともにこの基板の配線導体に接続部材の導電端子片を接触した上記請求項１ないし請求項４のいずれか一に記載のソケット装置とを具備したことを特徴としている。
【００３８】
上記請求項１ないし請求項４に記載の作用を奏するソケット装置を用いているので、ランプを安定して確実に保持して点灯がはかれ、この点灯によって各種所定の照明や表示を行うことができる。また、本発明の照明装置とは、照明用はもちろん表示用などの装置を含むものである。
【発明の効果】
【００３９】
本発明の請求項１の記載によれば、ソケット装置の接続部材にリブを形成することによって補強され、接続部材の不所望な変形などを防ぐとともに特に折曲げによりばね（弾）性を付与した部位におけるばね（弾）性の劣化を抑制できる。
【００４０】
したがって、長期間に亘り確実強固な電気的接続がなされるとともに配線基板への挟着保持の強化がはかれるなどの利点を有するソケット装置を提供できる。
【００４１】
また、本発明の請求項２の記載によれば、金属板を捩り形成した部分がリブとして補強の作用をなし、導電端子片先端の接触部が反発して配線基板に強く圧接し、強固な挟着および電気的接続がはかれるソケット装置を提供できる。
【００４２】
また、本発明の請求項３の記載によれば、ソケット本体に形成した切欠部から導電端子片を延出したことにより、上記請求項１に記載したと同様な効果を奏するソケット装置を提供できる。
【００４３】
また、本発明の請求項４の記載によれば、係止突起部とフランジ部とが協同して確実な電気的接続および挟着保持を行うことがはかれる上記請求項１に記載したと同様な効果を奏するソケット装置を提供できる。
【００４４】
さらに、本発明の請求項５に記載によれば、上記請求項１ないし請求項４に記載の効果を奏するソケット装置を用いているので、ランプを安定して確実に点灯でき、この点灯によって所定の照明や表示が行える照明装置を提供できる。
【発明を実施するための最良の形態】
【００４５】
以下、本発明のソケット装置の実施の形態を図１ないし図５を参照して説明する。図１はソケット装置Ｓの正面図、図２はランプを装着していない状態のソケット本体の上面図、図３（ａ），（ｂ）は接続部材の斜視図、図４は導電端子片５２の折り曲げ角度の説明図、図５は導電端子片の先端側近傍のみを拡大して示し、図（ａ）は正面図、図（ｂ）は上面図、図（ｃ）は側面図である。なお、説明中で示す上下方向などは便宜上図面を対象とし、実際には逆転して使用される場合もある。
【００４６】
図において１は熱可塑性合成樹脂たとえば６６ナイロン（商品名）などの電気絶縁性材料からなる横断面が円筒形状を有する有底筒状のソケット本体である。２はこの本体１中間部の周壁１１外面から連続して突出した円盤形状のフランジ部である。
【００４７】
１２は上端側に開口したこのソケット本体１の周壁１１が形成するランプ装着孔、３，３は周壁１１の対向した部分にソケット本体１軸に沿って装着孔１２と連通して上記フランジ部２近傍面にまで切欠された一対の切欠部、１３は摘み部である。
【００４８】
また、４１，４２，は周壁１１の上記切欠部３を隔て各切欠部３，３の両側に対向して形成された第１係止突起部と第２係止突起部である。この第１係止突起部４１および第２係止突起部４２の下面はテーパー状や凸状部４３を有し、この下面と、上記フランジ部２の上面との間隙は後述する配線基板の厚さと同じか少々小さ目で対峙している。また、第１係止突起部４１は、フランジ部２の上面またはこの上面の近傍にまで延長させたストッパ４４を有する。
【００４９】
また、５ａ，５ａは真鍮などの導電性および弾力性の優れた金属板からなる一対の接続部材で、ソケット本体１に形成されたランプ装着孔１２内に対峙して収容されている。
【００５０】
この接続部材５ａ，５ａは、図３（ａ）に一方を取り出して示すように、略平面状をなす基板部５１がソケット本体１の装着孔１２の係止溝（図示しない。）内などに係合されるとともに基板部５１に連設した上方部分の中央部を略コ字形に切り込み繋っている部分から折曲げ、基板部５１に対して９０度以下の斜め下方向に延在させて導電端子片５２とし、その先端側はソケット本体１の切欠部３から延出してフランジ部２と接近した位置にある。
【００５１】
この導電端子片５２は、図４に示すように基板部５１を０度（垂直）として、まず、第１折曲部（切り起した部分）５９ａで約２０度、第２折曲部５９ｂで約３０度、第３折曲部５９ｃで約４０度それぞれ折曲げられ、この第３折曲部５９ｃで先端側は基板部５１に対しほぼ直角の状態となっている。
【００５２】
そして、この導電端子片５２の先端側近傍は、図５のように端子片５２のほぼ中心から先端側の約半分を端子片５２の延出方向にほぼ沿って上方に捩じるよう約５０度折曲げた折曲部５９ｄが形成してある。この折曲部５９ｄの左方のほぼ平坦をなす部位には下方に最も突出した半球状の接触部５３があり、また、接触部５３に隣接する端子片５２の延出方向と直交した右方の上方に捩じられた部位には傾斜面５８が形成されている。
【００５３】
なお、上記凸状の接触部５３は第１係止突起部４１下面の凸状部４３より下方にまで突出した位置で、この接触部５３とフランジ部２上面との間隔は挟着する配線基板の板厚さより小さい。
【００５４】
また、この接続部材５ａは、上記導電端子片５２の折曲部５９ａ，５９ｂや略平面状をなす基板部５１に、接続部材５ａの延在方向に沿ってリブが形成してある。また、５４，５４は後述するウエッジベース形の無口金小形電球６の圧潰封着部の対向した圧潰面を押圧して係止する一対の係止片でそれぞれに封着部係止用の円形の凸部５５を有する。また、５６は基板部５１を切り起し形成した接続部材５ａの係止用突起、５７はランプ停止用突起である。
【００５５】
また、６はウエッジベース形の無口金小形電球で、外囲器を形成するガラスバルブ６１の内部にはコイル状のフィラメント（図示しない。）が封装されているとともに端部を圧潰して略平坦面に凹部を形成した封着部の両端が上記ランプ装着孔１２内に配設した一対の接続部材５ａ，５ａ間に押圧された状態で嵌挿されている。すなわち、バルブ６１の封着部が接続部材５ａ，５ａの係止片５４，５４間に挟圧されるとともに係止用の凸部５５が封着面に形成した凹部と係合して強固な保持をなす。また、上記係止片５４，５４が封着部の圧潰面に添設した外部リード線を押圧して電気的に好ましい接続をなし、これらでソケット装置Ｓを構成している。
【００５６】
そして、上記ソケット装置Ｓは、図６および図７に示す自動車などのメータ内の表示用や照明用の表示装置７に装着して使用される。図６はメータの一部分を示す側面断面図、図７（ａ）はソケット装置が装着される配線基板の一部分を示す平面図、同図（ｂ）はソケット装置が装着された配線基板の一部分を示す平面図である。
【００５７】
この表示装置７は、前面の筐体７１の凹所７２にたとえばドア開放の表示をする表示板７３が取付けられ、この表示板７３と対向して配設された基体（図示しない。）に取付けられたプリント配線基板８のソケット装着孔８１へソケット装置Ｓが装着されている。このソケット装置Ｓが装着される配線基板８は、ソケット本体１の横断面と略同形の略円筒形状をなすソケット取付孔８１およびこの装着孔８１の対向辺には凹所８２，８２が形成されているとともに取付孔８１の周辺に表面に配線導体８３，８４が配設してある。この配線導体８３，８４は配線基板８の一面側あるいは両面に形成されている。
【００５８】
そして、この配線基板８のソケット取付孔８１へのソケット装置Ｓの装着は、配線基板８の取付孔８１の凹所８２，８２側とソケット本体１の係止突起部４１，４２側とを合わせてから、取付孔８１内に小形電球６のバルブ６１の頂部を合わせ進入させる。
【００５９】
この進入によりバルブ６１の頂部が取付孔８１内に突出し、フランジ部２が配線基板８に当接するまで押込み、当接したらソケット本体１の下部側の摘み部１３を把持して右方向に回動することによってフランジ部２と係止突起部４１，４２とが配線基板８を挟み強固に固着される。
【００６０】
また、両接続部材５ａ，５ａの下方（フランジ部２）方向に弾性が付与された導電端子片５２は反発して（図１において、端子片５２は図示状態より上方に反って）図６に示すように接触部５３が配線導体８３，８４と強く圧接して電気的な接続がなされる。
【００６１】
このときソケット本体１に形成された一対の両係止突起部４１，４１の下面の突部４３やテーパー面が、配線基板８の取付孔８１の周囲面を円滑に滑動できるとともにストッパ４４，４４が凹所８２，８２の辺縁に当たって回動が停止し、所定の位置決めがなされる。
【００６２】
また、電球６の交換などでソケット装置Ｓを配線基板８から取外す場合は、摘み部１３を把持し左方向に回動して係止突起部４１，４２が凹所８２，８２に達したらソケット取付孔８１から引き抜くことによって行うことができる。
【００６３】
そして、ソケット装置Ｓは、上記表示装置７などにおいて電球（ランプ）６のフィラメントが断線など不点となった場合に、プリント配線基板８のソケット装着孔８１から外され、ソケット本体１に装着された電球（ランプ）６が新品と交換して後、再度ソケット装着孔８１に装着して使用される。
【００６４】
しかし、従来ではソケット装置Ｓの着脱が繰り返し行われたり、装着が長期間に亘っていたりすると、接続部材の導電端子片のばね（弾）性が劣化してきて圧接力が弱くなっていたが、本発明の接続部材５ａ，５ａでは、導電端子片５２を複数箇所の折曲部５９ａ〜５９ｃで折曲げるとともにその延在方向に沿って折曲部を含む要部にリブ５０，…を形成したことによって補強され、平板部における湾曲発生はもとより特に折曲げによりばね（弾）性を付与した部位におけるばね（弾）性の劣化を抑制できる。
【００６５】
したがって、ソケット装置Ｓの着脱が繰り返し行われたり、装着が長期間に亘っても、接続部材５ａ，５ａの不所望な変形やばね（弾）性の劣化などを防ぐことができて、導電端子片５２の先端部の接触部５３が配線基板８の配線導体８３，８４に強く圧接して確実な電気的接続がなされるとともに、係止突起部４１，４２と協同してソケット装置Ｓの配線基板８への挟着保持の一助となすことができる。
【００６６】
さらに、接続部材５ａの導電端子片５２の先端に形成される接触部５３の近傍を図５に拡大して示すような接触部５３に折曲部５９ｄを介し傾斜面５８を連設した構成とすれば、配線基板８の取付孔８１にソケット装置Ｓを挿通して回動させたとき、まず、配線基板８面との間隙が最も大きい傾斜面５８の上方部分が取付孔８１縁に傾斜面５８が当接し、回動を進めると傾斜面５８が取付孔８１縁を滑らかにすべって最も突出している接触部５３を円滑に配線基板８の配線導体８３，８４面上に案内移動できる。
【００６７】
なお、この装着の際、導電端子片５２の近傍に係止突起部４１や４２が設けられている場合は、回動時先行する側の係止突起部が導電端子片５２より先に配線基板８に当接する。
【００６８】
そして、金属板を捩り傾斜面５８を形成した折曲部５９ｄがリブ５０として補強の作用をなすとともに折曲部５９ｃとも協同して強いばね（弾）性を呈し、導電端子片５ａ先端の突出した接触部５３を配線基板８にほぼ水平に強く圧接し、さらにソケット装置Ｓの強固な挟着および電気的接続をなさしめることができる。
【００６９】
なお、本発明は上記実施の形態に限るものではない。たとえば接続部材は、図３（ｂ）に斜視図で示すような構成であってもよい。この接続部材５ｂは金属板からなる基板部５１から起立して外方に傾斜延出した導電端子片５２と基板部５１に形成した筋状の係止用凸部５５を有するとともにたとえば折曲部５９ａに補強用のリブ５０が形成してあり、たとえば図１のソケット本体１に導電端子片５２がフランジ部２上面に位置するように収容される。
【００７０】
この接続部材５ｂを一対ソケット本体１の装着孔１２内に対向して収容したソケット装置Ｓは、上記基板部５１，５１間にランプのバルブ端部に形成したウエッジベース形をなす封着部を挿入すると、基板部５１，５１が封着部の両圧潰面を表裏両面から挟圧するとともに係止用凸部５５が封着部面に形成した凹部と係合する。また、このとき封着部面に添設した外部リード線を押圧して電気的な接続が行われる。
【００７１】
そして、この場合のソケット装置は、フランジ部と係止突起部とがフランジ部上の導電端子片５２を介在して配線基板８に挟着される。この接続部材５ｂも導電端子片５２の折曲部５９ａに補強用のリブ５０が形成してあり、上記実施の形態と同様に不所望な変形などを防ぎ、導電端子片５２の先端部の接触部５３が配線基板８の配線導体８３，８４に強く圧接して確実な電気的接続を行なわせることができる。
【００７２】
また、上述した接続部材５ａでは、導電端子片５２に３か所の折曲部５９ａ，５９ｂ，５９ｃと２か所にリブ５０（ただし、１か所は折曲部５９ａ，５９ｂに亘り、他の１か所は導電端子片５２先端部の接触部５３と傾斜面５８との間の折曲部５９ｄが兼ねる。）を形成してあったが、折曲部は少なくとも１か所あればよく、また、補強用のリブ５０も１か所に限らず多数か所に直列的あるいは並列的に形成してあってもよい。
【００７３】
また、導電端子片５２の先端部の構成は上記接続部材５ａでは、接触部５３と傾斜面５８とを折曲部５９ｄを介し隣接して形成しリブとしての作用をもたせるよう、この先端部においてもばね（弾）性を高くしてあったが、汎用の端子片のように凸状の接触部のみを形成したものであっても差し支えない。
【００７４】
要するに、本発明では、接続部材の導電端子片にこの端子片に沿って補強用のリブを形成したもので、端子片にこのリブの他に補強をするため折曲部を形成するなどのことは差し支えなく、これらを付加することによりさらに強固な挟着が行える。
【００７５】
また、上記実施の形態では、ソケット本体の周壁に接続部材の導電端子片延出用の切欠部を形成したが、この切欠部は必須のものではない。
【００７６】
さらに、ソケット本体の周壁にフランジ部と間隙を隔てて係止突起部を形成する場合、上記実施の形態のように分割されたものを一対形成したものに限らず、単体を一対形成してもあるいは切欠部と離れた位置に対向して一対形成してもよい。なお、上記実施の形態のように接続部材の導電端子片を挟み両側に分割形成すれば、係止突起部が導電端子片を保護して導電端子片の不所望な変形などを防止できる。
【００７７】
さらにまた、係止突起部やフランジ部を備えず、配線基板などへのソケット装置の保持および配線導体との電気的接続を上下２段状に延出した接続部材でもって行うものにおいても、導電端子片の折曲部などにリブを形成しておくとにより、上記実施の形態に示したと同様な作用効果を得ることができる。
【実施例】
【００７８】
図３（ａ）に示す形状の端子部材５ａを板厚さが約０．２ｍｍのリン青銅板を用いプレスにより、導電端子片５２の最大幅が約１．８ｍｍ、長さが約４ｍｍ、第１折曲部５９ａの折曲角が約２０度、第２折曲部５９ｂの折曲角が約３０度、第３折曲部５９ｃの折曲角が約４０度で、また、先端の接触部５３として曲率が約０．３５ｍｍで約０．５ｍｍ×約０．７ｍｍの楕円球面形状をなす凸部を、この凸部に連設して傾斜角が約５２度で高さが約０．９ｍｍの傾斜面５８を、また、第１折曲部５９ａから第２折曲部５９ｂにかけて幅×長さ×高さが約０．４ｍｍ×約２ｍｍ×約０．５ｍｍのリブ５０を形成した。
【００７９】
そして、この端子部材５ａを２個および無口金形電球を本体１内に収容してソケット装置Ｓを構成し、このソケット装置Ｓをプリント配線基板８のソケット装着孔８１内に装着−抜去−装着−抜去−…の着脱の繰り返しと、導電端子片５２へ荷重を加えた場合のばね特性を調べたところ図７、８に示す結果が得られた。なお、図中、従来品とは本発明品と材料や各部寸法などが同じで、各所のリブ５０，…が形成されていないものである。
【００８０】
図８はプリント配線基板にソケット装置を回動装着と回動抜去の着脱の繰り返し回数によるトルク変化で、測定は回動抜去時の戻しトルク値で、横軸に着脱回数を、縦軸にトルク（×０．１Ｎｍ）を対比したグラフである。なお、試料は同じソケット装置を１回毎に新品の配線基板を代えて着脱を行った。
【００８１】
また、図９はばね特性で、導電端子片５２の接触部５３に荷重を加え曲りによる接触部５３先端の変位（移動）量と、加えた荷重を開放した後の先端の移動量を変形量として測定したもので、横軸に力（Ｎｍ）を、縦軸に変位（移動）量（ｍｍ）および変形量（ｍｍ）を対比したグラフである。
【００８２】
この図８および図９から明らかなように、リブ５０，…を形成した本発明に関わるソケット装置Ｓは、従来構造のソケット装置に比べて高いばね（弾）性を有するため接触部５３の押圧力が強く、確実な電気的接続と強固な挟圧保持をはかることができた。
【図面の簡単な説明】
【００８３】
【図１】本発明のソケット装置の実施の形態を示す正面図である。
【図２】図１のソケット装置のランプを装着していない状態のソケット本体を示す上面図である。
【図３】図（ａ），（ｂ）は接続部材の実施の形態を示す斜視図である。
【図４】図３（ａ）の導電端子片の折り曲げ角度の説明図である。
【図５】図３（ａ）の導電端子片の先端側近傍のみを拡大して示し、図（ａ）は正面図、図（ｂ）は上面図、図（ｃ）は側面図である。
【図６】本発明の表示装置（照明装置）の実施の形態の一部分を示す側面断面図である。
【図７】図（ａ）はソケット装置が装着される配線基板の一部分を示す平面図、図（ｂ）はソケット装置が装着された状態の配線基板の一部分を示す平面図である。
【図８】本発明と従来に拘るソケット装置を、プリント配線基板に着脱の繰り返しを行った場合のトルク変化を示すグラフである。
【図９】本発明と従来に拘るソケット装置の導電端子片の接触部に、荷重を加えたときと、加えた荷重を開放した後の先端の移動量を変形量として測定したグラフである。
【符号の説明】
【００８４】
Ｓ：ソケット装置、    １：ソケット本体、    １１：周壁、    １２：ランプ装着孔、    ２：フランジ部、    ３：切欠部、    ４ａ：第１係止突起部、    ４ｂ：第２係止突起部、    ５ａ、５ｂ：接続部材、    ５０：リブ、    ５１：基板部、    ５２：導電端子片、    ５３：接触部、    ５８：傾斜面、    ６：ランプ、    ６１：ガラスバルブ、    ７：表示装置（照明装置）、    ８：配線基板、    ８１：ソケット取付孔、    ８３，８４：配線導体、
【図１】
2005243511.tif 000003
【図２】
2005243511.tif 000004
【図３】
2005243511.tif 000005
【図４】
2005243511.tif 000006
【図５】
2005243511.tif 000007
【図６】
2005243511.tif 000008
【図７】
2005243511.tif 000009
【図８】
2005243511.tif 000010
【図９】
2005243511.tif 000011